(57)【要約】【課題】ディスプレイパネルの制御回路を提供する。【解決手段】出力端ＶＧによりディスプレイパネルの画素表示を制御する制御電圧を出力する制御回路であって、電圧調整ユニット４１、方向切替ユニット４２、昇圧抵抗Ｒｒおよび降圧抵抗Ｒｆを備える。電圧調整ユニット４１は、出力端ＶＧと高電圧源ＶＧＨとを接続する高電圧スイッチＭＨと、出力端ＶＧと低電圧源ＶＧＬとを接続する低電圧スイッチＭＬと、出力端ＶＧと切替接点Ｎｓとを接続する電圧調整スイッチＭＤとを有する。方向切替ユニット４２は昇圧用ダイオードＤｒおよび降圧用ダイオードＤｆを有する。昇圧抵抗Ｒｒは昇圧接点Ｎｒと電圧調整端ＡＶＤＤとの間に接続されている。降圧抵抗Ｒｆは降圧接点Ｎｆと電圧調整端ＡＶＤＤとの間に接続されている。【選択図】  図５
0003182858.tif 000002
【実用新案登録請求の範囲】
【請求項１】
出力端によりディスプレイパネルの画素表示を制御する制御電圧を出力する制御回路であって、電圧調整ユニット、方向切替ユニット、昇圧抵抗、および、降圧抵抗を備え、
前記電圧調整ユニットは、前記出力端と高電圧源とを接続する高電圧スイッチと、前記出力端と低電圧源とを接続する低電圧スイッチと、前記出力端と切替接点とを接続する電圧調整スイッチとを有し、
前記方向切替ユニットは、カソードが前記切替接点に接続されアノードが昇圧接点に接続されている昇圧用ダイオード、および、アノードが前記切替接点に接続されカソードが降圧接点に接続されている降圧用ダイオードを有し、
前記昇圧抵抗は、前記昇圧接点と電圧調整端との間に接続されており、
前記降圧抵抗は、前記降圧接点と前記電圧調整端との間に接続されていることを特徴とするディスプレイパネルの制御回路。
【請求項２】
出力端によりディスプレイパネルの画素表示を制御する制御電圧を出力する制御回路であって、電圧調整ユニット、昇圧抵抗、降圧抵抗、及び、方向切替ユニットを備え、
前記電圧調整ユニットは、前記出力端と高電圧源とを接続する高電圧スイッチと、前記出力端と低電圧源とを接続する低電圧スイッチと、前記出力端と切替接点とを接続する電圧調整スイッチとを有し、
前記昇圧抵抗は、一端が前記切替接点に接続されており、
前記降圧抵抗は、一端が前記切替接点に接続されており、
前記方向切替ユニットは、アノードが電圧調整端に接続されカソードが前記昇圧抵抗に接続されている昇圧用ダイオード、および、カソードが前記電圧調整端に接続されアノードが前記降圧抵抗に接続されている降圧用ダイオードを有することを特徴とするディスプレイパネルの制御回路。
【請求項３】
前記電圧調整スイッチは、同じ電極が対向するよう直列されている二つのダイオード、または、極性が調整可能である二つのダイオードを有することを特徴とする請求項１または請求項２に記載のディスプレイパネルの制御回路。
【請求項４】
前記電圧調整ユニットと前記方向切替スイッチとは、同一のチップ内に設けられている、または、一体となっている二つのチップ内に別々に設けられていることを特徴とする請求項１または請求項２に記載のディスプレイパネルの制御回路。
【請求項５】
前記昇圧抵抗および前記降圧抵抗は、外付けユニットであることを特徴とする請求項４に記載のディスプレイパネルの制御回路。
【請求項６】
出力端によりディスプレイパネルの画素表示を制御する制御電圧を出力する制御回路であって、第一チップおよび第二チップを備え、
前記第一チップは、前記出力端と高電圧源とを接続する高電圧スイッチと、前記出力端と低電圧源とを接続する低電圧スイッチと、前記出力端と切替接点とを接続する電圧調整スイッチとを有し、
前記第二チップは、カソードが前記切替接点に接続されアノードが昇圧抵抗を介して電圧調整端に接続されている昇圧用ダイオード、および、アノードが前記切替接点に接続されカソードが降圧抵抗を介して前記電圧調整端に接続されている降圧用ダイオードを有することを特徴とするディスプレイパネルの制御回路。
【請求項７】
前記電圧調整スイッチは、同じ電極が対向するよう直列されている二つのダイオード、または、極性が調整可能である二つのダイオードを有することを特徴とする請求項６に記載のディスプレイパネルの制御回路。
【考案の詳細な説明】
【技術分野】
【０００１】
本考案は、ディスプレイパネルの制御回路に関し、詳しくは二つのダイオードを用いて二つの異なる抵抗回路の昇圧および降圧を行うディスプレイパネルの制御回路に関する。
【背景技術】
【０００２】
液晶ディスプレイパネルの画素を駆動する際、基本の駆動電圧の波形は、図1に示すように高電圧レベルと低電圧レベルを切り替える波形を呈する。もっと良好な駆動効果を求めるために、従来の技術は切り替えの際の電圧波形をゲート状（gate shaping）波形にする。電圧レベルを急速に切り替える時、容量結合によって液晶ディスプレイパネルの画素のグレースケールがずれることを避けるため、低電圧レベルを高電圧レベルに切り替える際にはあらかじめ駆動電圧を上昇させておき、高電圧レベルを低電圧レベルに切り替える際にはあらかじめ駆動電圧を降下させておくことが従来の技術の目的である。図１に示すように、垂直方向は電圧を表示し、水平方向は時間を表示する。波形１は通常の方形波である。波形２から４は異なる要求に応じて指数上昇波または指数下降波が形成されている方形波である。
【０００３】
図２に示したのは、従来技術によるディスプレイパネルの制御回路１０である。図２に示すように、出力端電圧ＶＧから供給された電圧は図１に示した波形に対応する。電圧ＶＧＨは高電圧源を表示し、図１に示した波形の高電圧レベルを表示する。電圧ＶＧＬは低電圧源を表示し、図１に示した波形の低電圧レベルを表示する。波形２の場合、操作方式は次の通りである。まずスイッチＭＬを導通させ、スイッチＭＨ、ＭＤ１、ＭＤ２を遮断する。このとき出力端ＶＧに生じた電圧は低電圧レベルである。続いて出力端ＶＧを高電圧レベルに切り替える前にスイッチＭＨ、ＭＬを遮断し、スイッチＭＤ１、ＭＤ２を導通させる。このとき電圧調整端ＡＶＤＤが出力端ＶＧに給電する際に生じた波形は指数上昇波Ａである。指数上昇波Ａの傾斜率は抵抗Ｒに関係がある。抵抗Ｒが比較的小さい際、電圧が速く上昇する。抵抗Ｒが比較的大きい際、傾斜率が比較的小さい。電圧が緩やかに上昇する。続いてスイッチＭＨを導通させ、スイッチＭＬ、ＭＤ１、ＭＤ２を遮断する際、高電圧源ＶＧＨは出力端ＶＧに給電する。このとき出力端ＶＧに生じた電圧は高電圧レベルである。続いて出力端ＶＧを低電圧レベルに切り替える前、スイッチＭＨ、ＭＬを遮断し、スイッチＭＤ１、ＭＤ２を導通させる。このとき出力端ＶＧが電圧調整端ＡＶＤＤに放電する際に生じた波形は指数下降波Ｂである。指数下降波Ｂの角度は抵抗Ｒｆに関係する。上述したとおり、昇圧および降圧に伴って生じる指数下降波および指数上昇波は同じ抵抗Ｒによって制御されるため、異なる要求に応じて昇圧および降圧を行う際の指数下降波および指数上昇波を設計することができないことが従来の技術の問題である。
【０００４】
図３に示したのは、従来の技術による他のディスプレイパネルの制御回路２０である。ディスプレイパネルの制御回路１０との違いは、昇圧抵抗Ｒｒと降圧抵抗Ｒｆとを並列接続する回路を採用し、降圧用ダイオードＤｒを増設することにある。昇圧に伴って指数上昇波Ａが生じる際、上昇傾斜率は並列回路の抵抗Ｒｒによって決められる。降圧に伴ってゲート形状Ｂが生じる際、降下傾斜率は並列回路の抵抗Ｒｆによって決められる。このような設計は昇圧および降圧に対応し、二つの異なる抵抗値の区別を付けることによって異なる指数下降波または指数上昇波の傾斜率を定めることができる。しかしながら、並列回路の抵抗値を演算することが比較的複雑であるだけでなく、求められた指数下降波または指数上昇波の傾斜率に応じて抵抗値を設定し、使用することが難しい。
【０００５】
図４に示したのは従来の技術による別のディスプレイパネル制御回路３０である。ディスプレイパネル制御回路１０との違いは、図１に示した抵抗ＲおよびスイッチＭＤ１、ＭＤ２のほか、別の一組の昇圧抵抗ＲｒおよびスイッチＭＲ１、ＭＲ２が増設されていることにある。昇圧抵抗ＲｒおよびスイッチＭＲ１、ＭＲ２を導通させれば昇圧に対応する指数上昇波を生じることができる。降圧抵抗ＲｆおよびスイッチＭＤ１、ＭＤ２を導通させれば降圧に対応する指数下降波を生じることができる。言い換えれば、単に昇圧抵抗Ｒｒおよび降圧抵抗Ｒｆの抵抗値を設定することによって異なる昇降圧に対応する指数下降波および指数上昇波の傾斜率を決めることができる。このような設計は二つの異なる昇圧回路および降圧回路およびそれに関連する抵抗値の区別を付けることができるが、スイッチＭＲ１、ＭＲ２が増えるだけでなく、スイッチＭＲ１、ＭＲ２が高電圧半導体でなければならないため、コストが高くなる。
【０００６】
従って、設計を簡単化し、経済的利益を満足させることができるディスプレイパネルの制御回路を提供することは、技術者が重視する課題の一つである。
【考案の概要】
【考案が解決しようとする課題】
【０００７】
本考案は、ディスプレイパネルの制御回路を提供することを主な目的とする。
【課題を解決するための手段】
【０００８】
上述の目的を達成するために、請求項１に係るディスプレイパネルの制御回路は、出力端によりディスプレイパネルの画素表示を制御する制御電圧を出力する制御回路であって、電圧調整ユニット、方向切替ユニット、昇圧抵抗および降圧抵抗を備える。電圧調整ユニットは、出力端と高電圧源とを接続する高電圧スイッチと、出力端と低電圧源とを接続する低電圧スイッチと、出力端と切替接点とを接続する電圧調整スイッチとを有する。方向切替ユニットは昇圧用ダイオードおよび降圧用ダイオードを有する。昇圧用ダイオードはカソードが切替接点に接続されアノードが昇圧接点に接続されている。降圧用ダイオードはアノードが切替接点に接続されカソードが降圧接点に接続されている。昇圧抵抗は昇圧接点と電圧調整端との間に接続されている。降圧抵抗は降圧接点と電圧調整端との間に接続されている。
【０００９】
請求項２に係る考案によると、ディスプレイパネルの制御回路は、出力端によりディスプレイパネルの画素表示を制御する制御電圧を出力する制御回路であって、電圧調整ユニット、昇圧抵抗、降圧抵抗及び方向切替ユニットを備える。電圧調整ユニットは、出力端と高電圧源とを接続する高電圧スイッチと、出力端と低電圧源とを接続する低電圧スイッチと、出力端と切替接点とを接続する電圧調整スイッチとを有する。昇圧抵抗は一端が切替接点に接続されている。降圧抵抗は一端が切替接点に接続されている。方向切替ユニットは昇圧用ダイオードおよび降圧用ダイオードを有する。昇圧用ダイオードはアノードが電圧調整端に接続されカソードが昇圧抵抗に接続されている。降圧用ダイオードはカソードが電圧調整端に接続されアノードが降圧抵抗に接続されている。
【００１０】
請求項３に係る考案によると、電圧調整スイッチは、同じ電極が対向するよう直列されている二つのダイオード、または、極性が調整可能である二つのダイオードを有する。
請求項４に係る考案によると、電圧調整ユニットと方向切替由ニッチとは、同一のチップ内に設けられている、または、一体となっている二つのチップ内に別々に設けられている。
請求項５に係る考案によると、昇圧抵抗および降圧抵抗は、外付けユニットである。
【００１１】
請求項６に係る考案によると、ディスプレイパネルの制御回路は、出力端によりディスプレイパネルの画素表示を制御する制御電圧を出力し、第一チップおよび第二チップを備える。第一チップは、出力端と高電圧源とを接続する高電圧スイッチと、出力端と低電圧源とを接続する低電圧スイッチと、出力端と切替接点とを接続する電圧調整スイッチとを有する。第二チップは、昇圧用ダイオードおよび降圧用ダイオードを有する。昇圧用ダイオードはカソードが切替接点に接続されアノードが昇圧抵抗を介して電圧調整端に接続されている。降圧用ダイオードはアノードが切替接点に接続されカソードが降圧抵抗を介して電圧調整端に接続されている。
【図面の簡単な説明】
【００１２】
【図１】従来技術による制御電圧の波形を示す模式図である。
【図２】従来技術によるディスプレイパネルの制御回路を示す模式図である。
【図３】従来技術による他のディスプレイパネルの制御回路を示す模式図である。
【図４】従来技術による別他のディスプレイパネルの制御回路を示す模式図である。
【図５】本考案の一実施形態によるディスプレイパネルの制御回路を示す模式図である。
【図６】本考案の他の実施形態によるディスプレイパネルの制御回路の電圧調整スイッチを示す模式図である。
【図７】本考案の他の実施形態によるディスプレイパネルの制御回路の電圧調整スイッチ他の実施形態を示す模式図である。
【図８】本考案の他の実施形態によるディスプレイパネルの制御回路を示す模式図である。
【考案を実施するための形態】
【００１３】
以下、本考案の実施形態によるディスプレイパネルの制御回路を図面に基づいて説明する。
なお、以下の実施形態において、上下、左右、前後などの方向表示は図面を参考にした方向である。図面はそれぞれの装置および付属品と間の作用および関係を表示する模式図である。形、厚さおよび幅は比例に基づいて作成されたものではない。
【００１４】
（一実施形態）
図５に示すように、本考案の一実施形態によるディスプレイパネルの制御回路４０は、電圧調整ユニット４１、方向切替ユニット４２、昇圧抵抗Ｒｒ、および、降圧抵抗Ｒｆを備える。電圧調整ユニット４１は、スイッチＭＨ、スイッチＭＬおよび電圧調整スイッチＭＤを有する。出力端ＶＧは、スイッチＭＨによって高電圧源ＶＧＨに接続され、スイッチＭＬによって低電圧源ＶＧＬに接続され、電圧調整スイッチＭＤにより切替接点Ｎｓに接続される。本実施形態において、電圧調整スイッチＭＤはスイッチＭＤ１およびスイッチＭＤ２を有する。スイッチＭＤ１とスイッチＭＤ２の寄生ダイオードは極性が正反対である。電圧調整スイッチＭＤは、図６および図７に示した構造に取り替えてもよい。図７に示したのは、寄生ダイオードの極性が調整可能であるダイオードである。
【００１５】
方向切替ユニット４２は昇圧用ダイオードＤｒおよび降圧用ダイオードＤｆを有する。昇圧用ダイオードＤｒは切替接点Ｎｓと昇圧接点Ｎｒとの間に接続される。降圧用ダイオードＤｒは切替接点Ｎｓと降圧接点Ｎｆとの間に接続される。電圧調整端ＡＶＤＤは昇圧抵抗Ｒｒによって昇圧接点Ｎｒに接続され、降圧抵抗Ｒｆによって降圧接点Ｎｆに接続される。昇圧抵抗Ｒｒおよび降圧抵抗Ｒｆは昇圧および降圧に対応する指数上昇波および指数下降波の波形を決め、抵抗値が同じでも、異なってもよい。
【００１６】
図１の波形２に示すように、ディスプレイパネルの制御回路４０の稼動は次の通りである。
（１）スイッチＭＬが導通状態となり、スイッチＭＨおよび電圧調整スイッチＭＤが遮断状態となる際、低電圧源ＶＧＬは出力端ＶＧに給電する。出力端ＶＧに生じた電圧は低電圧レベルである。
（２）出力端ＶＧを高電圧レベルに切り替える前にスイッチＭＬ、ＭＨを遮断し、電圧調整スイッチＭＤを導通させると、電圧調整端ＡＶＤＤは出力端ＶＧに給電し、電流は電圧調整端ＡＶＤＤ、昇圧抵抗Ｒｒ、昇圧用ダイオードＤｒ、切替接点Ｎｓおよび電圧調整スイッチＭＤを流れ、出力端ＶＧへ進む。このとき降圧用ダイオードＤｆは遮断される。昇圧抵抗Ｒｒが作用するため、電流を供給する際に生じた波形は図１中の指数上昇波Ａに近い。
（３）続いて、電圧調整スイッチＭＤおよびスイッチＭＬを遮断し、スイッチＭＨを導通させると、高電圧源ＶＧＨは出力端ＶＧに給電し、高電圧レベルの波形を生じさせる。
（４）出力端ＶＧを低電圧レベルに切り替える前にスイッチＭＬ、ＭＨを遮断し、電圧調整スイッチＭＤを導通させ、出力端ＶＧを電圧調整端ＡＶＤＤに放電させる径路を形成すると、電流は出力端ＶＧ、電圧調整スイッチＭＤ、切替接点Ｎｓ，降圧用ダイオードＤｆ、降圧抵抗Ｒｆを流れ、電圧調整端ＡＶＤＤへ進む。このとき昇圧用ダイオードＤｒは遮断される。降圧抵抗Ｒｆが作用するため、電流を供給する際に生じた波形は図１中の指数下降波Ｂに近い。
（５）続いて、電圧調整スイッチＭＤおよびスイッチＭＨを遮断し、スイッチＭＬを導通させると、低電圧源ＶＧＬは出力端ＶＧに給電し、低電圧レベルの波形を生じさせる。
【００１７】
上述したのは図１中の波形２を形成する方法であるが、本考案による回路はこれに限らず、波形１から波形４を形成することができる。
【００１８】
図５および図２に示すように、制御電圧波形が昇圧状態へ進む際、スイッチＭＬ、ＭＨは遮断され、電圧調整スイッチＭＤは導通され、電流は電圧調整端ＡＶＤＤ、昇圧抵抗Ｒｒ、昇圧用ダイオードＤｒ、切替接点Ｎｓおよび電圧調整スイッチＭＤを流れ、出力端ＶＧに給電する。このとき電圧調整端ＡＶＤＤと出力端ＶＧとの間の電圧は、昇圧用ダイオードＤｒ両端の電圧差ＶＤに下がるため、電圧調整端ＡＶＤＤの電圧から出力端ＶＧの電圧差がＡＶＤＤ−ＶＧＬ−ＶＤである。抵抗は昇圧抵抗Ｒｒであるため、昇圧に対応する指数上昇波の波形は下記の式１によって決めることができる。
（ＡＶＤＤ−ＶＧＬ−ＶＤ）／Ｒｒ・・・式１
しかしながら、スイッチＭＤ１、ＭＤ２によって生じた電圧差または昇圧用ダイオードＤｒの内部抵抗が指数上昇波の波形に影響を与える際、その影響を配慮し、数式処理を進める必要がある。
【００１９】
制御電圧波形が高電圧状態から低電圧状態に進む際、スイッチＭＬ、ＭＨは遮断され、電圧調整スイッチＭＤは導通し、電流は出力端ＶＧ、電圧調整スイッチＭＤ、切替接点Ｎｓ，降圧用ダイオードＤｆ、降圧抵抗Ｒｆを流れ、電圧調整端ＡＶＤＤへ進む。このとき電圧調整端ＡＶＤＤと出力端ＶＧとの間の電圧は、降圧用ダイオードＤｆ両端の電圧差ＶＤに下がるため、出力端ＶＧから電圧調整端ＡＶＤＤの電圧差がＶＧＨ−ＡＶＤＤ−ＶＤである。抵抗は降圧抵抗Ｒｆであるため、降圧に対応する指数下降波の波形は下記の式２によって決めることができる。
（ＶＧＨ−ＡＶＤＤ−ＶＤ）／Ｒｆ・・・式２
しかしながら、スイッチＭＤ１、ＭＤ２によって生じた電圧差または降圧用ダイオードＤｆの内部抵抗が指数下降波の波形に影響を与える際、その影響を配慮し、数式処理を進める必要がある。
【００２０】
一方、制御電圧はディスプレイパネルに伝送する制御半導体のゲート制御電圧であってもよい。制御半導体を介してディスプレイパネルの画素内の液晶の回転角度を制御することによって画素のグレースケールの表現を制御し、ディスプレイパネルの表示状態を制御する。
【００２１】
図５に示した回路において、電圧調整ユニット４１と方向切替ユニット４２とは統合された単一チップであるか、別々にマルチチップモジュール（ＭＣＭ：Multi-Chip Module）内に実装された単一チップである。昇圧抵抗Ｒｒおよび降圧抵抗Ｒｆは、異なる抵抗値を設定することによって指数上昇波および指数下降波の波形を調整するための外付けユニットである。
【００２２】
本考案の概念に基づいて回路を図８に示した構造に設計できることは本考案の請求範囲に属する。しかしながら、昇圧抵抗Ｒｒおよび降圧抵抗Ｒｆが外付けユニットであれば好ましいため、図５に対し、本来の接点Ｎｓを接続ピンにしなければならないと同時に接点Ｎａを接続ピンにしなければならない。従って、コストが比較的高い。一方、昇圧抵抗Ｒｒおよび降圧抵抗Ｒｆが必ずしも外付けユニットでなければ、図８に示した回路は図５に示した回路と同じ効果を有する。
【００２３】
従来の技術に対し、本考案はコストが比較的低いだけでなく、昇降圧に対応する指数上昇波および指数下降波の形状を簡単に設定できるため、従来の技術に優れた。
【００２４】
上述した内容は、本考案の比較的好ましい一実施形態に過ぎないため、本考案の実施範囲を限定することができない。本考案の請求範囲または明細書の内容に基づいて効果が同等な変更または修正を簡単に行うことは本考案の請求範囲に属すべきである。例えば、図中の直接に連結された二つのユニットまたは回路の間に回路の主な機能に干渉しない別の回路またはスイッチなどの部品を増設することは本考案の請求範囲に属すべきである。一方、本考案の任意の一実施形態または請求範囲は、必ずしも本考案により提示されたあらゆる目的、長所または特徴を達成する必要があるとは限らない。一方、要約およびタイトルは特許データーを検索する際、参考になるため、本考案の請求範囲を限定することができない。
【符号の説明】
【００２５】
４０：ディスプレイパネル制御回路、
４１：電圧調整ユニット、
４２：方向切替ユニット、
Ａ：指数上昇波、
Ｂ：指数下降波、
ＡＶＤＤ：電圧調整端、
Ｄｆ：降圧用ダイオード、
Ｄｒ：昇圧用ダイオード、
ＭＤ：電圧調整スイッチ、
ＭＤ１：スイッチ、
ＭＤ２：スイッチ、
ＭＨ：スイッチ（高電圧スイッチ）、
ＭＬ：スイッチ（低電圧スイッチ）、
Ｎａ：接点、
Ｎｆ：降圧接点、  
Ｎｒ：昇圧接点、
Ｎｓ：切替接点、
Ｒ：抵抗、
Ｒｆ：降圧抵抗、
Ｒｒ：昇圧抵抗、
ＶＧ：出力端、
ＶＧＨ：高電圧源、
ＶＧＬ：低電圧源。
【図１】
0003182858.tif 000003
【図２】
0003182858.tif 000004
【図３】
0003182858.tif 000005
【図４】
0003182858.tif 000006
【図５】
0003182858.tif 000007
【図６】
0003182858.tif 000008
【図７】
0003182858.tif 000009
【図８】
0003182858.tif 000010